(57)【特許請求の範囲】
【請求項１】
物理ダウンリンク制御チャネルおよび物理ダウンリンクデータチャネルを２つの場合において多重化する方法であって、
１）異なるユーザのアップリンクデータ伝送のためのスケジューリンググラント（ＵＬグラント）をクロスインタリーブし、物理ダウンリンクデータチャネルが伝送されることを許可されない第１および第２スロットのすべての物理リソースブロックにそれらをマッピングすること、ここで、この場合、ダウンリンク制御チャネルおよび物理ダウンリンクデータチャネル間のリソース多重化は、周波数分割多重化（ＦＤＭ）であり、
２）一のユーザのダウンリンクデータ伝送のためのスケジューリンググラント（ＤＬグラント）およびアップリンクデータ伝送のためのスケジューリンググラント（ＵＬグラント）を混合し、当該ユーザのダウンリンクデータ伝送のために第２スロットが使用されることができる物理リソースブロックの第１スロットにそれらをマッピングすること、ここで、この場合、ダウンリンク制御チャネルおよび物理ダウンリンクデータチャネル間のリソース多重化は、周波数分割多重化（ＦＤＭ）＋時分割多重化（ＴＤＭ）である、
を有する方法。
【請求項２】
一のユーザのＵＬグラントは、そのサブフレーム内で当該ユーザがＵＬグラントのみを有する場合、他のユーザのＵＬグラントとクロスインタリーブされ、両方のスロットで伝送される、請求項１に記載の方法。
【請求項３】
一のユーザのＵＬグラントは、当該ユーザのＵＬグラントが第１スロットでのみ伝送される場合、他のユーザのＵＬグラントとクロスインタリーブされない、請求項１に記載の方法。
【請求項４】
一のユーザのＵＬグラントは、そのサブフレーム内で当該ユーザがＤＬグラント（および、その結果、ＤＬデータ伝送）をさらに有する場合、第１スロットでのみ伝送される、請求項１に記載の方法。
【請求項５】
ユーザは、まず、一組の物理リソースブロックの第１スロット内のそのＤＬ／ＵＬグラントをブラインド復号することを試み、何も検出されなければ、ユーザは、それから、一組の物理リソースブロックの両方のスロット内のそのＵＬグラントをブラインド復号することを試みる、請求項１に記載の方法。
【請求項６】
クロスインタリーブされたＵＬグラントの伝送および混合ＤＬ／ＵＬグラントの伝送の可能性のための物理リソースブロックの組を別々に設定するステップをさらに含み、設定は、上位層信号伝達によって行われる、請求項５に記載の方法。
【請求項７】
クロスインタリーブされたＵＬグラントの伝送のための物理リソースブロックは、周波数分散される、請求項６に記載の方法。
【請求項８】
物理ダウンリンク制御チャネルおよび物理ダウンリンクデータチャネルを多重化するための装置であって、
１）異なるユーザのアップリンクデータ伝送のためのスケジューリンググラント（ＵＬグラント）をクロスインタリーブし、物理ダウンリンクデータチャネルが伝送されることを許可されない第１および第２スロットのすべての物理リソースブロックにそれらをマッピングするための、物理ダウンリンクデータチャネルが伝送されることを許可されない第１および第２スロットの物理リソースブロックと、ここで、この場合、ダウンリンク制御チャネルおよび物理ダウンリンクデータチャネル間のリソース多重化は、周波数分割多重化（ＦＤＭ）であり、
２）一のユーザのダウンリンクデータ伝送のためのスケジューリンググラント（ＤＬグラント）およびアップリンクデータ伝送のためのスケジューリンググラント（ＵＬグラント）を混合し、当該ユーザのダウンリンクデータ伝送のために第２スロットが使用されることができる物理リソースブロックの第１スロットにそれらをマッピングするための、第２スロットが使用されることができる物理リソースブロックの第１スロットと、ここで、この場合、ダウンリンク制御チャネルおよび物理ダウンリンクデータチャネル間のリソース多重化は、周波数分割多重化（ＦＤＭ）＋時分割多重化（ＴＤＭ）である、
を有する装置。
【請求項９】
一のユーザのＵＬグラントは、そのサブフレーム内で当該ユーザがＵＬグラントのみを有する場合、他のユーザのＵＬグラントとクロスインタリーブされ、両方のスロットで伝送される、請求項８に記載の装置。
【請求項１０】
一のユーザのＵＬグラントは、当該ユーザのＵＬグラントが第１スロットでのみ伝送される場合、他のユーザのＵＬグラントとクロスインタリーブされない、請求項８に記載の装置。
【請求項１１】
一のユーザのＵＬグラントは、そのサブフレーム内で当該ユーザがＤＬグラント（および、その結果、ＤＬデータ伝送）をさらに有する場合、第１スロットでのみ伝送される、請求項８に記載の装置。
【請求項１２】
ユーザは、まず、一組の物理リソースブロックの第１スロット内のそのＤＬ／ＵＬグラントをブラインド復号することを試み、何も検出されなければ、ユーザは、それから、一組の物理リソースブロックの両方のスロット内のそのＵＬグラントをブラインド復号することを試みる、請求項８に記載の装置。
【請求項１３】
クロスインタリーブされたＵＬグラントの伝送および混合ＤＬ／ＵＬグラントの伝送の可能性のための別々に設定された物理リソースブロックの組をさらに有し、設定は、上位層信号伝達によって行われる、請求項１２に記載の装置。
【請求項１４】
クロスインタリーブされたＵＬグラントの伝送のための物理リソースブロックは、周波数分散される、請求項１３に記載の装置。
【請求項１５】
物理ダウンリンク制御チャネルおよび物理ダウンリンクデータチャネルを多重化するためのシステムであって、
１）異なるユーザのアップリンクデータ伝送のためのスケジューリンググラント（ＵＬグラント）をクロスインタリーブし、物理ダウンリンクデータチャネルが伝送されることを許可されない第１および第２スロットのすべての物理リソースブロックにそれらをマッピングするための、物理ダウンリンクデータチャネルが伝送されることを許可されない第１および第２スロットの物理リソースブロックと、ここで、この場合、ダウンリンク制御チャネルおよび物理ダウンリンクデータチャネル間のリソース多重化は、周波数分割多重化（ＦＤＭ）であり、
２）一のユーザのダウンリンクデータ伝送のためのスケジューリンググラント（ＤＬグラント）およびアップリンクデータ伝送のためのスケジューリンググラント（ＵＬグラント）を混合し、当該ユーザのダウンリンクデータ伝送のために第２スロットが使用されることができる物理リソースブロックの第１スロットにそれらをマッピングするための、第２スロットが使用されることができる物理リソースブロックの第１スロットと、ここで、この場合、ダウンリンク制御チャネルおよび物理ダウンリンクデータチャネル間のリソース多重化は、周波数分割多重化（ＦＤＭ）＋時分割多重化（ＴＤＭ）である、
を有するシステム。
【請求項１６】
一のユーザのＵＬグラントは、そのサブフレーム内で当該ユーザがＵＬグラントのみを有する場合、他のユーザのＵＬグラントとクロスインタリーブされ、両方のスロットで伝送される、請求項１５に記載のシステム。
【請求項１７】
一のユーザのＵＬグラントは、当該ユーザのＵＬグラントが第１スロットでのみ伝送される場合、他のユーザのＵＬグラントとクロスインタリーブされない、請求項１５に記載のシステム。
【請求項１８】
一のユーザのＵＬグラントは、そのサブフレーム内で当該ユーザがＤＬグラント（および、その結果、ＤＬデータ伝送）をさらに有する場合、第１スロットでのみ伝送される、請求項１５に記載のシステム。
【請求項１９】
ユーザは、まず、一組の物理リソースブロックの第１スロット内のそのＤＬ／ＵＬグラントをブラインド復号することを試み、何も検出されなければ、ユーザは、それから、一組の物理リソースブロックの両方のスロット内のそのＵＬグラントをブラインド復号することを試みる、請求項１５に記載のシステム。
【請求項２０】
クロスインタリーブされたＵＬグラントの伝送および混合ＤＬ／ＵＬグラントの伝送の可能性のための別々に設定された物理リソースブロックの組をさらに有し、設定は、上位層信号伝達によって行われる、請求項１５に記載のシステム。
【請求項２１】
クロスインタリーブされたＵＬグラントの伝送のための物理リソースブロックは、周波数分散される、請求項１５に記載のシステム。
【発明の詳細な説明】
【技術分野】
【０００１】
本発明は、物理ダウンリンク制御チャネル多重化（ｐｈｙｓｉｃａｌ  ｄｏｗｎｌｉｎｋ  ｃｏｎｔｒｏｌ  ｃｈａｎｎｅｌ  ｍｕｌｔｉｐｌｅｘｉｎｇ）および関連付けられたブラインド復号のための方法およびシステムに関する。特に、本発明は、物理ダウンリンク制御チャネルおよびデータチャネル間のリソース多重化に関する。
【背景技術】
【０００２】
現代の無線通信規格およびシステムは、限られた無線リソースを効率的に活用し、システムの処理能力を最大化するために、複雑なスケジューリングスキームに依存している。４Ｇセルラー規格は、ダウンリンクおよびアップリンク伝送（ｔｒａｎｓｍｉｓｓｉｏｎ）の両方のためにリソーススケジューリングが必要とされる直交周波数分割多重接続（ＯＦＤＭＡ）を特徴とする。スケジューリングは、集中型の基地局でなされ、スケジューリンググラントは、ダウンリンク伝送またはアップリンク伝送のためにあることができる。ダウンリンクおよびアップリンクグラントの両方は、物理ダウンリンク制御チャネル（ＰＤＣＣＨ）で伝送される。「ダウンリンク制御チャネル」の前の形容詞「物理」は、そのような制御信号伝達がチャネルの高速フェージングに動的に適応することができるように、制御信号伝達が非常に頻繁に、すなわち、１ｍｓ毎に発生することを強調する。頻繁な信号伝達は、動的リンクアダプテーションには不可欠であるが、とりわけ、セル端にあるそれらの移動端末には、そのオーバーヘッドが大きいという意味で非常に高価である。したがって、ダウンリンクデータ伝送のための十分な物理リソースがあるように、物理ダウンリンク制御チャネルのオーバーヘッドの制限が必要である。
【０００３】
３ＧＰＰ  ＬＴＥにおいて、物理ダウンリンク制御チャネル（ＰＤＣＣＨ）は、ダウンリンクデータを搬送する物理ダウンリンク共有チャネル（ＰＤＳＣＨ）と時間多重化（ｔｉｍｅ  ｍｕｌｔｉｐｌｅｘｅｄ）される。より具体的には、物理制御チャネルは、すべてのシステム帯域幅にわたって広がり、最初のすべてのいくつかのＯＦＤＭシンボルを占有する。異なるユーザのダウンリンクおよびアップリンクグラントは、符号化され、変調され、クロスインタリーブ（ｃｒｏｓｓ−ｉｎｔｅｒｌｅａｖｅｄ）され、かつ、それらのＯＦＤＭシンボルにマッピング（ｍａｐｐｅｄ）され、ＰＤＣＣＨに指定される。ＰＤＣＣＨの設計原理は、１）ＰＤＣＣＨを最初のいくつかのＯＦＤＭシンボルに集中させて、ＤＬ／ＵＬグラントのより早い復号を可能とする、２）ＰＤＣＣＨのロバストな復号を保証する、である。クロスインタリーブおよびすべてのシステムの帯域幅にわたる拡張の目的は、周波数選択性フェージングおよび干渉をランダム化し、ロバスト性（ｒｏｂｕｓｔｎｅｓｓ）を達成することである。
【０００４】
ＬＴＥ−Ａリレーにおいて、新規な物理制御チャネルは、リレーバックホールリンクに導入され、リレー物理ダウンリンク制御チャネル（Ｒ−ＰＤＣＣＨ）［１］と称される。Ｒ−ＰＤＣＣＨは、ダウンリンクデータチャネル（ＰＤＳＣＨ）領域のある程度のリソースを要する。Ｒ−ＰＤＣＣＨは、２つのスロットからなる物理リソースブロック（ＰＲＢ）対のすべて、または、ＰＲＢの１つのスロットだけを占有することができる。Ｒ−ＰＤＣＣＨにより両方のスロットが占有される場合、Ｒ−ＰＤＣＣＨおよびＰＤＳＣＨ間の多重化は、周波数分割多重化（ＦＤＭ）と呼ばれる。Ｒ−ＰＤＣＣＨにより１つのスロット（特に、第１スロット）だけが占有される場合、Ｒ−ＰＤＣＣＨおよびＰＤＳＣＨ間の多重化は、時分割多重化（ＴＤＭ）＋周波数分割多重化（ＦＤＭ）と呼ばれる。復号待ち時間（ｄｅｃｏｄｉｎｇ  ｌａｔｅｎｃｙ）を低減するために、リレーバックホールリンクのためのＤＬグラントは、ＰＲＢ対の第１スロットで伝送されることができるのみであるのに対し、リレーバックホールのためのＵＬグラントは、ＰＲＢ対の第２スロットで伝送されることができるのみである。Ｒ−ＰＤＣＣＨは、異なるリレーノードを通じて、クロスインタリーブまたは非クロスインタリーブされ得る。クロスインタリーブされたＲ−ＰＤＣＣＨについて、共通参照信号（ＣＲＳ）のみが復調のために使用されることができる。クロスインタリーブされたＲ−ＰＤＣＣＨは、復号のロバスト性が最も高い検討事項であるＰＤＣＣＨと多くの類似点を有する。ＣＲＳ復調のために、クロスインタリーブされたＲ−ＰＤＣＣＨは、ＰＤＣＣＨと同様、ビームフォーミングの利益を享受することができない。また、クロスインタリーブは、周波数選択性スケジューリングゲインを抑制する。対照的に、非クロスインタリーブされたＲ−ＰＤＣＣＨの設計原理は、復調基準信号（ＤＭＲＳ）の方が選ばれるビームフォーミングおよび周波数選択性ゲインを有効に利用することである。ＤＭＲＳは、Ｒ−ＰＤＣＣＨまたはＰＤＳＣＨを含む物理リソースブロックにのみ存在し、Ｒ−ＰＤＣＣＨまたはＰＤＳＣＨと同様のプリコーディングを経る。したがって、プリコーディングは、Ｒ−ＰＤＣＣＨに対して全体的に透過的であり、すなわち、送信機で使用されるプリコーディングマトリックスを示す単独の信号伝達を必要としない。
【発明の概要】
【発明が解決しようとする課題】
【０００５】
従来のセルラーネットワークは、伝送電力およびアンテナゲインが同じであるマクロ基地局から主に構成される。サイト間の距離はほぼ一定であり、ネットワークグリッドは極めて均質である。システム容量に対する急成長している要求は、遠隔無線ヘッド（ＲＲＨ）ピコ、フェムトノードのような多数の低消費電力ノードを配置する動機づけとなって、マクロからのトラフィックをアンロードし、ホットスポットの処理能力を増加させる。マクロ、遠隔無線ヘッド、ピコおよびフェムトセルの混合は、いわゆる異機ネットワーク（ＨｅｔＮｅｔｓ）を構成する。干渉シナリオは、ＰＤＳＣＨのようなデータチャネルのためだけにではなく、ＰＤＣＣＨのような制御チャネルのために、ＨｅｔＮｅｔｓにおいてより複雑になる。ＨｅｔＮｅｔｓ展開におけるＰＤＳＣＨのための数個の干渉調整（ｉｎｔｅｒｆｅｒｅｎｃｅ  ｃｏｏｒｄｉｎａｔｉｏｎ）スキームが存在し、それらの１つが、セル端の近くでユーザに直交リソースが割り当てられる部分的な周波数の再利用である。しかしながら、そのようなスキームは、それがシステムのすべての帯域幅を占有するため、ＰＤＣＣＨのために使用されることができない。もう一つのＨｅｔＮｅｔシナリオにおいて、遠隔無線ヘッド（ＲＲＨ）は、マクロセルと同一のセルＩＤを有し、したがって、ユーザに対して透過的と思われる。透過的なＲＲＨは、マクロアンテナおよびＲＲＨを介した動的ジョイント伝送によって、システムの処理能力を非常に改善することができる。しかし、カバレッジエリア内ですべてのスケジューリングされたユーザによって共有されるＰＤＣＣＨのための限られたリソースに関する問題があり、つまり、ＰＤＣＣＨのセル分割ゲインがない。したがって、ＰＤＣＣＨの容量を改良し、ＨｅｔＮｅｔｓにおける強い干渉を緩和する強い動機づけがある。拡張物理ダウンリンク制御チャネルは、ｅＰＤＣＣＨと呼ばれる。
【課題を解決するための手段】
【０００６】
一の側面によれば、本発明は、物理ダウンリンク制御チャネルおよび物理ダウンリンクデータチャネル間のリソース多重化の方法を含む。物理ダウンリンク制御チャネルは、ダウンリンクデータ伝送のためのスケジューリンググラント（ＤＬグラント）およびアップリンクデータ伝送のためのスケジューリンググラント（ＵＬグラント）を含む。方法は、２つの場合におけるリソースマッピングを含む。１）異なるユーザのＵＬグラントをクロスインタリーブし、２つのスロットに及ぶ一組の物理リソースブロックにそれらをマッピングすること。ダウンリンクデータチャネルは、それらの物理リソースブロックで伝送されることを許可されない。したがって、ダウンリンク制御チャネルおよびダウンリンクデータチャネル間の多重化は、周波数分割多重化（ＦＤＭ）である。２）一のユーザのＤＬグラントおよびＵＬグラント（もし存在すれば）を混合し、物理リソースブロックの第１スロットにそれらをマッピングすること。ここで、ダウンリンクデータチャネルは、物理リソースブロックの第２スロットで伝送されることができる。ダウンリンク制御チャネルおよびダウンリンクデータチャネル間の多重化は、時分割多重化（ＴＭＤ）＋周波数分割多重化（ＦＤＭ）である。
【０００７】
本発明によれば、ＵＬグラントのクロスインタリーブは、そのサブフレーム内でＵＬグラントのみを有するユーザに適用される。ＤＬグラントおよびＵＬグラントの混合は、そのサブフレーム内で、ＤＬおよびＵＬグラントの両方、または、ＤＬグラントのみを有するユーザに適用される。
【０００８】
本発明によれば、ユーザは、まず、物理リソースブロックの第１スロット内のＤＬグラントおよびＵＬグラントをブラインド復号（Ｂｌｉｎｄｌｙ  ｄｅｃｏｄｅ）することを試み、グラントが検出されなければ、ユーザは、それから、物理リソースブロックの第１および第２スロット内のＵＬグラントをブラインド復号することを試みる。
【０００９】
本発明によれば、クロスインタリーブされたＵＬグラントのための物理リソースブロックと、混合されたＤＬ／ＵＬグラントのための物理リソースブロックとは、分離されており、上位層信号伝達（ｈｉｇｈｅｒ  ｌａｙｅｒ  ｓｉｇｎａｌｉｎｇ）によって独立的に設定される。
【００１０】
本発明によれば、クロスインタリーブされたＵＬグラントのための物理リソースブロックは、周波数にわたり分布している。
【００１１】
他の側面において、本発明は、ダウンリンクおよびアップリンクデータ伝送のためのスケジューリンググラントを含むダウンリンク物理制御チャネルを有するシステムを含む。システムは、異なるユーザのＵＬグラントをクロスインタリーブし、それらを物理リソースブロックの両方のスロットにマッピングすること、一のユーザのＤＬ／ＵＬグラントを混合し、それらを物理リソースブロックの第１スロットにマッピングすることを含む。
【図面の簡単な説明】
【００１２】
【図１】図１は、拡張物理ダウンリンク制御チャネルおよびダウンリンクデータチャネルのリソース多重化の一例を示す。
【発明を実施するための形態】
【００１３】
本発明は、拡張物理ダウンリンク制御チャネルのための４つのキー設計原理を考慮する。１）周波数領域干渉調整を容易にすること、２）ビームフォーミング／プリコーディングゲインおよび周波数選択性ゲインを活用すること、３）復号待ち時間を低減すること、４）制御チャネル復号の一定のロバスト性を確保すること。周波数領域干渉調整は、ダウンリンク制御チャネルおよびダウンリンクデータチャネル間のＦＤＭ多重化、たとえば、ＵＬグラントをすべてのリソースブロック、第１および第２スロットに入れることによって達成されることができる。異なるセルは、ＵＬグラントのために異なる物理リソースブロックを設定（ｃｏｎｆｉｇｕｒｅ）して、干渉を避けることができる。ビームフォーミング／プリコーディングゲインおよび周波数選択性ゲインは、ダウンリンク制御チャネルおよびダウンリンクデータチャネル間のＴＤＭ＋ＦＤＭ多重化を許可する、たとえば、ダウンリンクデータ伝送に関しては、同一のプリコーディングで、ＤＬ／ＵＬグラントを同一のリソースブロックに入れることによって得られることができる。復号待ち時間は、物理リソースブロックの第１スロットのみにＤＬグラントを制限することによって小さく維持されることができる。ＵＬグラント復号の一定のロバスト性は、物理リソースブロックの周波数分散配置（ｆｒｅｑｕｅｎｃｙ  ｄｉｓｔｒｉｂｕｔｅｄ  ａｌｌｏｃａｔｉｏｎ）および異なるユーザのＵＬグラントのクロスインタリーブによって達成されることができる。また、ＵＬグラントのクロスインタリーブは、パッキング効率を増大させ、それは、制御チャネル容量を改善するのに役立つ。
【００１４】
本発明は、図１に示される実施例において例示される。このサブフレームにおいてスケジューリングされる５つのユーザ、ユーザ１〜５が存在する。各サブフレームは、２つのスロットを含む。私たちは、レガシーＰＤＣＣＨ（ダークグレイ領域）に属していないリソース領域に注目する。ライトグレイ領域が、拡張物理ダウンリンク制御チャネル（ｅＰＤＣＣＨ）伝送のために使用される。ユーザ１は、ＤＬグラントのみを有している。ユーザ２は、ＤＬグラントおよびＵＬグラントの両方を有している。ユーザ３、ユーザ４、およびユーザ５は、ＵＬグラントのみを有している。ユーザ１のＤＬグラントは、ユーザ１のダウンリンクデータ伝送のために第２スロットが用いられるリソースブロックの第１スロットで伝送される。また、ユーザ１は、そのダウンリンクデータ伝送のために、隣接したリソースブロック（第１および第２スロットの両方）を使用する。ユーザ２のＤＬグラントおよびＵＬグラントは、混合され、２つのリソースブロックの第１スロットで伝送される。ユーザ２のダウンリンクデータは、それらの２つのリソースブロックの第２スロットで伝送される。ユーザ１およびユーザ２のＤＬ／ＵＬグラントは、それらのダウンリンクデータチャネルと同じように、ビームフォーミング／プリコーディングゲインおよび周波数選択性ゲインを享受することができる。ユーザ３、ユーザ４、およびユーザ５のＵＬグラントは、クロスインタリーブされ、２つのリソースブロックの第１および第２スロットの両方にマッピングされる。それらの２つのリソースブロックは、周波数分散（ｆｒｅｑｕｅｎｃｙ  ｄｉｓｔｒｉｂｕｔｅｄ）されて、復号ロバスト性のための周波数ダイバーシティを提供する。
【００１５】
図１において、第１スロットにおけるＤＬ／ＵＬグラントのための物理リソースブロックの数は、図１では３である。第１スロットおよび第２スロットの両方におけるＵＬグラントのための物理リソースブロックの数は２である。それらの数および位置は、上位層によって設定される。
【００１６】
ユーザ１〜５は、まず、３つのリソースブロックの第１スロット内のＤＬ／ＵＬグラントをブラインド復号することを試みる。ＤＬ／ＵＬグラントの復号がエラーを有しないと仮定すれば、ユーザ１は、そのダウンリンクデータがそれらの２つの隣接したリソースブロックで伝送されることになっていることを示すそのＤＬグラントを検出する。ユーザ１は、そのＤＬグラントが物理リソースブロックの１つを占有することを知っているので、それは、それらの２つのリソースブロックの残りの合計３つのスロット内のダウンリンクデータを続けて復号する。そのＤＬおよびＵＬグラントを検出すると、ユーザ２は、２つの隣接したリソースブロックの残りの合計２つのスロット内のダウンリンクデータを続けて復号する。第１スロット内を復号した後、ユーザ３、ユーザ４、およびユーザ５は、それらのＤＬ／ＵＬグラントを検出しない。それから、それらは、２つのリソースブロックの両方のスロット内のクロスインタリーブされたＵＬグラントをブラインド復号することを試みる。それらのＵＬグラントを検出すると、ユーザ３、ユーザ４、およびユーザ５は、次のいくつかのサブフレームにおけるＵＬデータ伝送の準備をすべきである。
【００１７】
特許請求の範囲によってのみ限定される本発明の精神および範囲から逸脱することなく、本願明細書に記載されている新規な方法およびシステムの多くの修正および変更が、当業者によりなされることができる。
【００１８】
参考文献
［１］３ＧＰＰ  ＴＳ  ３６．２１６、「次世代ユニバーサル地上無線アクセス（Ｅ−ＵＴＲＡ）：リレー動作のための物理層」
【図１】
0005927307.tif 000002